(57)【要約】【課題】計器付きランプ、特に多用途の計器付きランプを提供する。【解決手段】本考案の計器付きランプは、筐体と、前記筐体内にそのヘッドが筐体外に投光できるように設置されたランプと、前記筐体内にそのパネルが筐体外に露出するように設置された計器とを備える。また、前記筐体の台座としては、置換えられるものが使用され、クランプがついていて自転車のハンドルや他の管体や、卓板やベルトなどの平板体を挟んで固定されるもの、吸盤がついていて壁や他の平面に吸着できるもの、普通の底面が平らかで卓上に置かれるものが挙げられる。【選択図】図１
0003124291.tif 000002
【実用新案登録請求の範囲】
【請求項１】
筐体と、前記筐体内にそのヘッドが筐体外に投光できるように設置されたランプと、前記筐体内にそのパネルが筐体外に露出するように設置された計器とを備えていることを特徴とする計器付きランプ。
【請求項２】
前記ランプは、前記筐体の一側に備わったことを特徴とする請求項１に記載の計器付きランプ。
【請求項３】
前記ランプは、前記筐体の本体に対し回動できるようになっていてそのヘッドの投光方向を変換できることを特徴とする請求項２に記載の計器付きランプ。
【請求項４】
前後両端面及び上下両偏平面を有する長形偏平状の筐体を備えており、前記筐体内に、
そのヘッドレンズが前記前端面から露出するように設置されたランプと、
前記ランプの後ろの方にそのパネルが前記上偏平面から露出するように設置された計器と、
前記計器の下に設置されていて少なくとも前記ランプに電力を供給する電池とを備えていることを特徴とする計器付きランプ。
【請求項５】
前後両端面及び上下両偏平面を有する長形偏平状の筐体を備えており、前記筐体内に、
そのヘッドレンズが前記前端面から露出するように設置されたランプと、
前記ランプの後ろの方にそのパネルが前記上偏平面から露出するように設置された計器と、
前記計器の下に設置されていて前記ランプ及び前記計器に電力を供給する電池とを備えおり、
また、前記上偏平面に前記計器を調整／操作する計器用ボタンを、前記後端面に前記ランプを調整／操作するランプ用ボタンとをそれぞれ備えていることを特徴とする計器付きランプ。
【請求項６】
前後両端面、左右両側面及び上下両偏平面を有する長形偏平状の筐体を備えており、前記筐体内に、
そのヘッドレンズが前記前端面から露出するように設置された第１ランプと、
前記ランプの後ろの方に設置された第２ランプと、
前記第２ランプの後ろの方にそのパネルが前記上偏平面から露出するように設置された計器と、
前記計器の下に設置されていて前記第１、第２ランプ及び前記計器に電力を供給する電池とを備えおり、
前記上偏平面に前記計器を調整／操作する計器用ボタンを、前記後端面に前記第１及び第２ランプを調整／操作するランプ用ボタンをそれぞれ備えており、
また、前記筐体は前後両筐体から互いに上下回動可能に枢支し合うようになっており、前記前筐体は透明材料からなって前記第１、第２ランプを内蔵していることを特徴とする計器付きランプ。
【請求項７】
前後両端面、左右両側面及び上下両偏平面を有する長形偏平状の筐体を備えており、前記筐体内に、
そのヘッドレンズが前記前端面から露出するように設置された白光ランプと、
前記白光ランプの後ろの方に設置された赤光ランプと、
前記赤光ランプの後ろの方に該赤光ランプと連動するように設置されている緊急時の警報器としてのブザーと、
前記ブザーの後ろの方にそのパネルが前記上偏平面から露出するように設置された計器と、
前記計器の下に前記白光ランプ、赤光ランプ及び前記計器に電力を提供する電池と、
前記白光ランプと前記赤光ランプとの間に、及び前記電池の後ろの方に、それぞれ設置されて併せて一つの回路となっていて前記白光ランプ、赤光ランプ、前記計器及び前記電池を制御する２枚の回路基板とを備えおり、
前記上偏平面に前記回路を介して前記計器を調整／操作する計器用ボタンを、前記後端面に前記回路を介して前記白光ランプを、前記後端面に前記回路を介して前記赤光ランプと前記ブザーとを調整／操作する警報用ボタンをそれぞれ備えており、
また、前記筐体は前後両筐体から互いに上下段階的な回動が可能に枢支し合うようになっており、前記前筐体は透明材料からなって前記白光ランプ、前記赤光ランプ及び前記ブザーを内蔵していることを特徴とする計器付きランプ。
【請求項８】
前記筐体の台座として置換えられるものが使用されたことを特徴とする請求項１、４、５、６または７に記載の計器付きランプ。
【請求項９】
前記台座はクランプがついていて管体を挟んで固定されることを特徴とする請求項８に記載の計器付きランプ。
【請求項１０】
前記台座は、クランプがついていて平板体を挟んで固定されることを特徴とする請求項８に記載の計器付きランプ。
【請求項１１】
前記台座は、吸盤がついていて平面に吸着できることを特徴とする請求項８に記載の計器付きランプ。
【請求項１２】
前記台座は、底面が平らかであって卓上に置かれることを特徴とする請求項８に記載の計器付きランプ。
【考案の詳細な説明】
【技術分野】
【０００１】
この考案はランプに関し、特に計器付きランプに関する。
【背景技術】
【０００２】
計器は、物の寸法、物質の温度、時間の長短、ないし繰返し動作の計数などに使用されるものである。しかし、計器の使用は日間に限らず、夜間でもよく使われる。でも、従来からランプ付きウォッチ以外に、他のランプ付き計器はない。それに、従来から計器付きランプもまったくない。
【０００３】
ここでいう計器付きランプは、ランプ付き計器とは主客相反だけでなく、その唯一の例であるランプ付きウォッチを対照例としてみれば、ランプとしては、計器付きランプにおいては、計器の計測対象への照明ないし計測していないうちの純粋な照明などに使用されるものであり、対照例においては、もっぱらウォッチのダイアルだけをみるための照明に使用されるものである。効果にも用途にも大きな相違がある。
【０００４】
ところで、一口にランプと言うが、自転車用ランプもあり、懐中電灯もあり、スタンドランプもあり、多種多様あるが、それらを合併できれば便利であろうと考案者が考える。
【考案の開示】
【考案が解決しようとする課題】
【０００５】
上記に鑑みて、本考案は、計器付きランプ、特に多用途の計器付きランプを提供しようとすることをその目的とする。
【課題を解決するための手段】
【０００６】
前記目的を達成するために、本考案は、筐体と、前記筐体内にそのヘッドが筐体外に投光できるように設置されたランプと、前記筐体内にそのパネルが筐体外に露出するように設置された計器とを備えている計器付きランプを提供する。
【０００７】
計器付きランプとして、前記筐体は、前後両端面及び上下両偏平面を有する長形偏平状のものであり、前記ランプはそのヘッドレンズが前記前端面から露出するように設置され、前記計器は前記ランプの後ろの方にそのパネルが前記上偏平面から露出するように設置され、前記計器の下に更に少なくとも前記ランプに電力を供給する電池が設置されているものが、特にコンパクトで好ましい。
【０００８】
そして、前記計器は、一つだけでも良いが、二つ、三つなど複数を備えても良い。必要に応じて、物の寸法、物質の温度、時間の長短、ないし繰返し動作の計数用など、例えばストップウォッチや歩数計、温度計、速度計、カウンタ、赤外線測距計から選択すれば良い。
【０００９】
前記ランプは、前記筐体の一側に備わった方が良いが、該一端の筐体が前記筐体の本体に対し回動できるようになっていて前記ランプの投光方向を変換できるものがもっと好ましい。
【００１０】
必要があれば、前記ランプを第１ランプとし、且つ、その後ろに更に第２ランプを設置しても良い。その場合、第２ランプを長形のランプで左右の方向に配置した方が、空間の節約をすることができるので、特に良い。第２ランプは、第１ランプのように、そのヘッドが臨んでいる筐体の側面をヘッドレンズとし、その投光を通過させても良いが、前記一端の筐体を透明材料でつくるうえ、第２ランプをそれに入れても良い。
【００１１】
また、第１ランプとして投光性の良い白光ランプを使用した方が良く、第２ランプとして赤光ランプを使用した方が良い。第２ランプとして赤光ランプを使用する時、警報ランプとなれ、その場合、他にブザーを付け加えれば、警報効果がもっと良いので、好ましい。
【００１２】
また、前記筐体の台座として置換えられるものが使用されれば良い。前記台座については、クランプがついていて自転車のハンドルや他の管体、卓板やベルトなどの平板体を挟んで固定されるものも、吸盤がついていて壁や他の平面に吸着できるものも、普通の底面が平らかで卓上に置かれるものも、挙げられる。
【考案の効果】
【００１３】
前記構成による計器付きランプは、その筐体にランプと計器とを共に有するので、照明の外に必要に応じ計器として使用することができ、且つ計器を使用する時、夜間でも計測対象が良くみえる。
【００１４】
特に、前記筐体を長形偏平状のものとし、且つ、その偏平面を計器のパネル面とし、端面を投光ランプの投射面とする場合、その全体の体積がコンパクトである上、照明時の照明対象を指すにも計測時のパネルを読むにも便利である。それに、自転車用ランプとしても、懐中電灯としても、スタンドランプとしても使用できる。その場合、前記筐体の台座としてそれに適用する構造があって置換えられるようになっているものが、使用に更に便利である。
【００１５】
また、前記ランプが、前記筐体の一側に備わり、且つ該一側の筐体が前記筐体の本体に対し回動できるようになっているものが、前記ランプの投光方向を変換できるので、使用に非常に便利である。
【考案を実施するための最良の形態】
【００１６】
以下、本考案に係る計器付きランプの好適な実施形態を、図面を参照しながら説明する。なお、図中、似ている部品には、同一の参照符号を付する。
【００１７】
この実施形態例の計器付きランプは、図１〜図４に示すように、まず前（図中における左の方）後（図中における右の方）両筐体１０１、１０２から互いに上下段階的な回動が可能に枢支し合うようになっており、且つその全体が前後両端面１３、１４、左右両側面１５、１６及び上下両偏平面１１、１２を有する長形偏平状の筐体１０を備えている。
【００１８】
特に、図１を参照すると、前記筐体１０内に、前方から後方へと、第１ランプとしての白光ランプ３５と、第２ランプとしての赤光ランプ３６と、緊急時の警報器としてのブザー５０と、電力を提供する二次電池４３とがあり、二次電池４３は横たわっている偏平状のものであり、その上方にも下方にも空間が残っている。上方に残っている空間には、図３の上面図にも示すように、計器としてのストップウォッチ２０が、そのパネル２１の面２１１が筐体１０の上偏平面１１から露出するように設置されている。下方に残っている空間には、図４の下面図にも示すように、一対の充電用の接続端子板４４が、それぞれの一部４４１だけが下偏平面１２から平面状に露出するように設置されている。
【００１９】
図１をもっと詳しくみると、白光ランプ３５と赤光ランプ３６とも長形のものであり、白光ランプ３５は三つあり、左右一列に並んでそれらのヘッドを前方に向かっている。赤光ランブ３６も長形のものであるが、二つだけあり、それらのヘッドがそれぞれ筐体１０の左右２側面１５、１６に向かうように一線に並んでいるので、空間の節約を奏することができる。
【００２０】
また、白光ランプ３５と赤光ランプ３６との間に、及び電池４３の後ろの方に、それぞれ回路基板３４、４２が設置されて両者が併せて一つの回路となっている。この回路は、白光ランプ３５、赤光ランプ３６、ブザー５０、計器としてのウォッチ２０及び電池４３を制御するものである。
【００２１】
図示のように、白光ランプ３５、回路基板３４、赤光ランプ３６及びブザー５０は前筐体１０１に内蔵されている。この前筐体１０１は透明材料からなっているが、その前端面は筐体１０の前端面１３ともなっているうえ、白光ランプ３５のヘッドレンズ３１の前端面ともなっている。即ち、ヘッドレンズ３１は前筐体１０１の一部ともなっている。
【００２２】
図１及び図２に示すように、ヘッドレンズ３１の中に、白光ランプ３５をその中に保持しながら白光ランプ３５の発光を前方へ集中して投光するための反射板３３も設置されて白光ランプ３５と互いに支持し合っている。
【００２３】
また、図１〜図３に示すように、上偏平面１１の計器としてのウォッチ２０のパネル２１上にウォッチ２０を調整／操作する計器用ボタン２２を備えており、後端面１４に前記白光ランプ３５を調整／操作するランプ用ボタン１８１を備えている上、赤光ランプ３６とブザー５０とを共に調整／操作する警報用ボタン１８２をも備えている。これらのボタンも当然回路基板３４、４２のいずれかと連続して前記回路の一部になっている。
【００２４】
次に、前筐体１０１と後筐体１０２との間の枢支構造を説明する。
【００２５】
図１及び図３をも参照すると、後筐体１０２は上下２部分からなっているが、その前端部は、組立後の全体からみたら、左右２の互いに対面している突出部１５１、１６１があって上下の方に開口となっている。前筐体１０１はその後端部でこの２の突出部１５１、１６１の間に上下段階的な回動が可能に枢支されている。
【００２６】
主に図１を参照しながら説明すると、前筐体１０１の後端部における左右両面にはそれぞれ枢軸３２１が突出してなっており、また、後筐体１０２の左右２の突出部１５１、１６１それぞれの内面には枢軸３２１と対応している軸受けとしての凹孔１５２、１６２が開けてある。前筐体１０１と後筐体１０２との間の枢支は、この枢軸３２１、３２１と凹孔１５２、１６２との間の回転可能な結合からなっている。
【００２７】
やはり図１に示すように、前筐体１０１の後端部における左右両面それぞれの枢軸３２１の周りに一回りになった複数の突起３２２が形成してあり、また、突出部１５１、１６１それぞれの内面に複数の突起３２２と対応している複数の凹孔１５３、１６３が開けてある。この複数の突起３２２と複数の凹孔１５３、１６３との間の順番的な嵌合いは、前筐体１０１と後筐体１０２との間の回動を段階的に係止することができる。それにより、前筐体１０１の後筐体１０２に対する角度を段階的に維持することができるので、白光ランプ３５の投光を決定の方向に保持することができる。
【００２８】
次に、図５〜図８を参照しながらこの実施形態例の台座を説明する。
【００２９】
図示のように、この計器付きランプの台座は置換えられるものである。図５に示すのを例とし、且つ図４の下面図をも参照してみれば、台座２００はまずその上端面から突出してから後方から前方へと延びてなったスライド体２１０がついている。それに反して、筐体１０、特に後筐体１０２の下偏平面１２に後方へ開口している窪み１２１が形成してあり、この窪み１２１の左右両内面には一対の案内溝１２２が形成してある。即ち、この一対の案内溝１２２は後方へ開口している。スライド２１０はこの開口より入れられてからこの一対の案内溝１２２に取外し自在に保持されている。
【００３０】
そして、図５における台座２００の全体をみてみると、基本的にはクランプの構造になり、且つ、調整ボルト２２０が付設されていてそれによりクランプによる挟持の緊迫具合を調整することができる。このような構造を有する台座２００では、それによる挟持により計器付きランプを自転車のハンドルまたは他の類似の管体に装着させることができる。
【００３１】
そして、図６における台座３００をみてみると、この台座３００もクランプ構造を有するが、平面体を挟むことによりそこに固定されることができ、且つその構成材料自己の弾性により常時閉になっているものである。このような構造を有する台座３００では、それによる挟持により計器付きランプをベルトや卓板などの平板体に装着させることができる。
【００３２】
そして、図７における台座４００をみてみると、台座４００には吸盤４３０がついていてその吸着により計器付きランプを壁面や他の類似の平面に装着させることができる。そして、図８における台座５００をみてみると、台座５００は、底面が平らかであって卓上に置かれうるものである。このような構造を有する台座５００では、計器付きランプを卓上または他の類似の平面に支持し、スタンドランプとして使用することができる。
【００３３】
前記実施形態例は、その筐体１０内に、白光ランプ３５と、赤光ランプ３６と、ブザー５０と、ストップウォッチ２０などがあり、照明、計時及び緊急時の警報などの用途を有し、且つ、前記のような４種類の置換えられる底座２００、３００、４００、５００が付設されているが、その構造はその限りではなく、例えば警報手段としては赤光ランプ３６とブザー５０との一つだけを採用しても良く、計器としてストップウォッチ２０でなく、他の例えば歩数計や温度計、速度計、カウンタ、赤外線測距計のいずれかの一つまたは複数を採用しても良く、また、台座も前記のような４種類に限らず、１種類だけでももっと多くあっても良い。それに、前記卓上に置かれうる台座５００としては、充電器兼用のものに構成しても良い。
【産業上の利用可能性】
【００３４】
叙上のように、本考案の計器付きランプは、計器をそれを使っている時、時々必要であるランプに付設させたので、計器の使用に便利性を与える外、ランプの使用に用途性を拡大することができる。
【図面の簡単な説明】
【００３５】
【図１】本考案の計器付きランプの好適な実施形態の分解斜視図である。
【図２】図１の計器付きランプの概略断面図である。
【図３】図１の計器付きランプの上面図である。
【図４】図１の計器付きランプの下面図である。
【図５】図１における実施形態例の台座の一つの斜視図である。
【図６】図１における実施形態例の台座の一つの斜視図である。
【図７】図１における実施形態例の台座の一つの斜視図である。
【図８】図１における実施形態例の台座の一つの斜視図である。
【符号の説明】
【００３６】
１０          筐体
１０１、１０２  前後両筐体
１１          上偏平面
１２          下偏平面
１３          前端面
１４          後端面
１８１、１８２  ランプ用ボタン
２０          計器
２２          計器用ボタン
３１、３２    ヘッドレンズ
３５          第１ランプ(白光ランプ)
３６          第２ランプ(赤光ランプ)
３４、４２    回路基板
４３          電池
５０          ブザー
２００、３００、４００、５００  台座
４３０      吸盤
【図１】
0003124291.tif 000003
【図２】
0003124291.tif 000004
【図３】
0003124291.tif 000005
【図４】
0003124291.tif 000006
【図５】
0003124291.tif 000007
【図６】
0003124291.tif 000008
【図７】
0003124291.tif 000009
【図８】
0003124291.tif 000010